(57)【要約】【課題】螺旋状に配置される複数の画像から直感的な操作を介して特定の画像を選択可能な、情報提供装置を提供する。【解決手段】複数の画像２を所定の順列で螺旋状に表示する画像表示部１４と、複数の画像に対する操作情報を入力するための操作情報入力部１２と、操作情報から求められた移動角度情報および角速度情報に応じて、複数の画像が複数の画像からなる螺旋の略円周方向に移動するように画像表示部に表示させる表示処理部１８と、を備える。これにより、操作情報から求められた移動角度情報および角速度情報に応じて、螺旋状に配置される複数の画像が螺旋の略円周方向に移動して表示されるので、上下左右キーなどを用いる場合に比して、直感的な操作を介して特定の画像を選択することができる。【選択図】図１
2010015442.tif 000002
【特許請求の範囲】
【請求項１】
複数の画像を所定の順列で螺旋状に表示する画像表示部と、
前記複数の画像に対する操作情報を入力するための操作情報入力部と、
前記操作情報から求められた移動角度情報および角速度情報に応じて、前記複数の画像が前記複数の画像からなる螺旋の略円周方向に移動するように前記画像表示部に表示させる表示処理部と、
を備える情報提供装置。
【請求項２】
前記表示処理部は、前記複数の画像のうち少なくとも１つの画像を拡大表示するための拡大表示領域を前記画像表示部の所定の位置に表示させ、前記操作情報から求められた移動角度情報および角速度情報に応じて、前記複数の画像が前記複数の画像からなる螺旋の略円周方向に移動し、移動に応じて前記拡大表示領域に配置される画像が拡大表示されるように前記画像表示部に表示させる、請求項１に記載の情報提供装置。
【請求項３】
前記表示処理部は、連続して入力される前記操作情報から求められた移動角度情報および角速度情報に応じて、前記複数の画像が前記複数の画像からなる螺旋の略円周方向に連続的に移動するように前記画像表示部に表示させる、請求項２に記載の情報提供装置。
【請求項４】
前記表示処理部は、前記操作情報から求められた移動角度情報および角加速度情報に応じて、前記複数の画像が前記複数の画像からなる螺旋の略円周方向に継続的に移動し、移動の速度を徐々に減少させるように前記画像表示部に表示させる、請求項２に記載の情報提供装置。
【請求項５】
前記表示処理部は、前記複数の画像が前記複数の画像からなる螺旋の略円周方向に継続的に移動している状態で、移動を停止するために前記操作情報として入力される移動停止指示に応じて、前記複数の画像が移動を停止するように前記画像表示部に表示させる、請求項４に記載の情報提供装置。
【請求項６】
前記表示処理部は、前記複数の画像のうちいずれかを選択するために前記操作情報として入力される画像選択指示に応じて、前記複数の画像が前記複数の画像からなる螺旋の略円周方向に移動し、選択された画像が前記拡大表示領域に配置されるように前記画像表示部に表示させる、請求項２に記載の情報提供装置。
【請求項７】
前記表示処理部は、前記複数の画像のうち所定の順列上で第１の順位の画像が第２の順位の画像より大きく、かつ、前記第１の順位の画像が前記第２の順位の画像より明るくなるように前記画像表示部に表示させる、請求項１に記載の情報提供装置。
【請求項８】
前記複数の画像は、時系列に沿った順列で螺旋状に配置される、請求項１に記載の情報提供装置。
【請求項９】
前記画像表示部および前記操作情報入力部は、タッチパネルまたはタッチスクリーンである、請求項１に記載の情報提供装置。
【請求項１０】
複数の画像を所定の順列で螺旋状に表示するための情報提供方法であって、
前記複数の画像に対する操作情報を入力する操作情報入力ステップと、
前記操作情報から求められた移動角度情報および角速度情報に応じて、前記複数の画像が前記複数の画像からなる螺旋の略円周方向に移動するように表示する表示処理ステップと、
を含む情報提供方法。
【請求項１１】
複数の画像を所定の順列で螺旋状に表示するための情報提供方法をコンピュータに実行させるプログラムであって、
前記情報提供方法は、
前記複数の画像に対する操作情報を入力する操作情報入力ステップと、
前記操作情報から求められた移動角度情報および角速度情報に応じて、前記複数の画像が前記複数の画像からなる螺旋の略円周方向に移動するように表示する表示処理ステップと、
を含むプログラム。
【発明の詳細な説明】
【技術分野】
【０００１】
本発明は、情報提供装置、情報提供方法、およびプログラムに関する。
【背景技術】
【０００２】
従来、時系列データなど所定の順列を伴う多数の画像を順列の状態を保ちつつ表示画面上に同時に表示するために、多数の画像を三次元の螺旋状に配置して表示する情報提供装置が知られている（下記特許文献１参照）。
【０００３】
【特許文献１】国際公開第００／３３５７２号パンフレット
【発明の開示】
【発明が解決しようとする課題】
【０００４】
しかし、螺旋状に配置された多数の画像から特定の画像を選択する場合には、上下左右キーなどの操作を介して特定の画像を選択する必要があった。このため、特定の画像を選択する場合には、表示画面上で固定されたフォーカス表示領域に対して多数の画像を螺旋の略円周方向に移動させ（螺旋を回転させる。）、または移動可能なフォーカス表示枠を螺旋の略円周方向に移動させる必要があった。この場合、上下左右キーなどの操作を介して、螺旋の略円周方向に多数の画像を移動させ、またはフォーカス表示枠を移動させるので、直感的な操作を介して特定の画像を選択することができず、また、特定の画像を選択するために多くの操作ステップ（時間）が要求されていた。
【０００５】
本発明は上記問題点に鑑みてなされたものであり、その目的は、螺旋状に配置される複数の画像から直感的な操作を介して特定の画像を選択可能な、新規かつ改良された、情報提供装置、情報提供方法、およびプログラムを提供することにある。
【課題を解決するための手段】
【０００６】
上記課題を解決するために、本発明の第１の観点によれば、複数の画像を所定の順列で螺旋状に表示する画像表示部と、複数の画像に対する操作情報を入力するための操作情報入力部と、操作情報から求められた移動角度情報および角速度情報に応じて、複数の画像が複数の画像からなる螺旋の略円周方向に移動するように画像表示部に表示させる表示処理部と、を備える情報提供装置が提供される。
【０００７】
かかる構成によれば、操作情報から求められた移動角度情報および角速度情報に応じて、螺旋状に配置される複数の画像が螺旋の略円周方向に移動して表示されるので、上下左右キーなどを用いる場合に比して、直感的な操作を介して特定の画像を選択することができる。
【０００８】
上記表示処理部は、複数の画像のうち少なくとも１つの画像を拡大表示するための拡大表示領域を画像表示部の所定の位置に表示させ、操作情報から求められた移動角度情報および角速度情報に応じて、複数の画像が複数の画像からなる螺旋の略円周方向に移動し、移動に応じて拡大表示領域に配置される画像が拡大表示されるように画像表示部に表示させてもよい。これにより、複数の画像の移動に応じて拡大表示領域に配置される画像が拡大表示されるので、特定の画像を確認した後に選択することができる。
【０００９】
上記表示処理部は、連続して入力される操作情報から求められた移動角度情報および角速度情報に応じて、複数の画像が複数の画像からなる螺旋の略円周方向に連続的に移動するように画像表示部に表示させてもよい。これにより、連続して入力される操作情報から求められた移動角度情報および角速度情報に応じて、複数の画像が螺旋の略円周方向に連続的に移動して表示されるので、連続的な操作を介して特定の画像を選択することができる。
【００１０】
上記表示処理部は、操作情報から求められた移動角度情報および角加速度情報に応じて、複数の画像が複数の画像からなる螺旋の略円周方向に継続的に移動し、移動の速度を徐々に減少させるように画像表示部に表示させてもよい。これにより、入力される操作情報から求められた移動角度情報および角加速度情報に応じて、複数の画像が螺旋の略円周方向に継続的に移動し、移動の速度を徐々に減少させて表示されるので、特定の画像を効率的に選択することができる。
【００１１】
上記表示処理部は、複数の画像が複数の画像からなる螺旋の略円周方向に継続的に移動している状態で、移動を停止するために操作情報として入力される移動停止指示に応じて、複数の画像が移動を停止するように画像表示部に表示させてもよい。これにより、複数の画像が継続的に移動している状態で入力される移動停止指示に応じて、複数の画像が移動を停止して表示されるので、特定の画像を効率的に選択することができる。
【００１２】
上記表示処理部は、複数の画像のうちいずれかを選択するために操作情報として入力される画像選択指示に応じて、複数の画像が複数の画像からなる螺旋の略円周方向に移動し、選択された画像が拡大表示領域に配置されるように画像表示部に表示させてもよい。これにより、入力される画像選択指示に応じて、複数の画像が螺旋の略円周方向に移動し、選択された画像が拡大表示領域に配置されて表示されるので、直感的な操作を介して特定の画像を選択することができる。
【００１３】
上記表示処理部は、複数の画像のうち所定の順列上で第１の順位の画像が第２の順位の画像より大きく、かつ、第１の順位の画像が第２の順位の画像より明るくなるように画像表示部に表示させてもよい。これにより、複数の画像が各画像の識別性を失わずに重複して表示されるので、多数の画像を順列の状態を保ちつつ同時に表示することができる。
【００１４】
上記複数の画像は、時系列に沿った順列で螺旋状に配置されてもよい。上記画像表示部および操作情報入力部は、タッチパネルまたはタッチスクリーンでもよい。
【００１５】
上記課題を解決するために、本発明の第２の観点によれば、複数の画像を所定の順列で螺旋状に表示するための情報提供方法であって、複数の画像に対する操作情報を入力する操作情報入力ステップと、操作情報から求められた移動角度情報および角速度情報に応じて、複数の画像が複数の画像からなる螺旋の略円周方向に移動するように表示する表示処理ステップと、を含む情報提供方法が提供される。
【００１６】
上記課題を解決するために、本発明の第３の観点によれば、本発明の第２の観点に係る情報提供方法をコンピュータに実行させるプログラムが提供される。
【発明の効果】
【００１７】
本発明によれば、螺旋状に配置される複数の画像から直感的な操作を介して特定の画像を選択可能な、情報提供装置、情報提供方法、およびプログラムを提供することができる。
【発明を実施するための最良の形態】
【００１８】
以下に、添付した図面を参照しながら、本発明の好適な実施形態について詳細に説明する。なお、本明細書および図面において、実質的に同一の機能構成を有する構成要素については、同一の符号を付することにより重複説明を省略する。
【００１９】
（情報表示端末の構成）
図１は、本発明の一実施形態に係る情報表示端末の機能構成を示すブロック図である。本発明の一実施形態に係る情報表示端末（情報提供装置）は、ＰＤＡ（Personal Desktop Assistance）、携帯電話、音楽再生装置などを含む携帯型の情報表示端末である。図１に示すように、情報表示端末は、タッチパネル１０（操作情報入力部１２、画像表示部１４）、操作情報処理部１６、表示処理部１８、通信処理部２０、再生処理部２２、音声出力部２４、制御部２６、記憶部２８を含んで構成される。
【００２０】
タッチパネル１０は、液晶ディスプレイなどの表示画面およびマトリクススイッチなどの接触センサを組合せて、表示画面上の位置情報を入力するためのポインティングデバイスである。タッチパネル１０では、表示画面に例えばＧＵＩ（Graphical User Interface）を構成するオブジェクトが表示され、表示画面上に入力用ペン３０、ユーザの指などが接触すると、表示画面に重ねて設けられた接触センサ上で接触位置が検出され表示画面上の位置情報が入力される。これにより、タッチパネル１０は、複数の画像２に対する操作情報を入力するための操作情報入力部１２、および複数の画像２を所定の順列で螺旋状に表示する画像表示部１４として機能する。
【００２１】
操作情報処理部１６は、操作情報入力部１２に入力される操作情報を処理し、後述する移動角度情報、角速度情報、角加速度情報などを求める。表示処理部１８は、操作情報入力部１２に入力される操作情報に応じて、複数の画像２を画像表示部１４に表示させる。表示処理部１８は、例えば、複数の画像２が複数の画像２からなる螺旋の略円周方向に移動するように画像表示部１４に表示させる。通信処理部２０は、例えば、テレビ端末、ＳＴＢ（Set Top Box）、ＰＶＲ（Personal Video Recorder）などの外部装置との間で画像データ、指令情報などを送受信する。再生処理部２２は、外部装置から取得された動画像／静止画／音声コンテンツなどを再生する。音声出力部２４は、音声コンテンツに含まれる音声情報などを出力する。制御部２６は、他の構成要素の制御を通じて情報表示端末全体を制御する。記憶部２８は、画像データ、後述する情報提供方法を実行するための処理プログラムを含む各種のデータを記憶する。
【００２２】
（情報表示端末の表示画面）
図２は、情報表示端末による表示画面の一例を示す説明図である。図２には、ＰＶＲなどにより記録された番組コンテンツのサムネイル画像を複数の画像２として表示する場合が示されている。
【００２３】
複数の画像２は、ＰＶＲにより番組コンテンツから抽出され、画像の属性情報と併せて画像データとして、通信処理部２０を介して情報表示端末により取得される。以下では、複数の画像２が記録番組（録画）コンテンツを構成する各チャプターから抽出された代表的な画像である場合について説明する。画像の属性情報は、チャプターを識別するとともに画像２のタイトル、記録日時を表すために、チャプターの識別情報、チャプターのタイトル、記録日時（チャプター番号）などとして、例えば番組コンテンツの電子番組情報などから抽出される。複数の画像２は、画像２の属性情報に含まれる各チャプターの記録日時（チャプター番号）に応じた順列を伴う。
【００２４】
なお、複数の画像２は、例えば、複数の記録番組コンテンツ、複数の撮影動画／静止画コンテンツ、複数の音声コンテンツに対応付けられた記録動画／静止画コンテンツから各々に抽出された代表的な画像などでもよい。これらの場合、複数の画像２は、コンテンツの記録日時、撮影日時、再生順序（トラック順）などの順列を伴う。
【００２５】
図２に示すように、表示画面には、複数の画像２が表示されるメイン表示領域３２、画像２のタイトルが表示されるタイトル表示領域３４、特定の画像２が拡大画像４（なお、「画像２」は、拡大画像４を含む画像を総称している。）として表示されるフォーカス表示領域３６が設けられている。図２に示す例では、表示画面の右側にメイン表示領域３２が配置され、表示画面の左側にタイトル表示領域３４およびフォーカス表示領域３６が配置されている。図２に示す例では、右利きのユーザによる操作を前提としているが、左利きのユーザによる操作に際しては、表示画面の右側にタイトル表示領域３４およびフォーカス表示領域３６を配置することで、操作性を向上させることができる。
【００２６】
メイン表示領域３２には、複数の画像２が所定の順列で反時計回りの螺旋状に表示されている。なお、図２では、具体的な画像内容の代わりに、各画像２の順列（チャプター番号１，２、…）が表示されている。図２に示す例では、複数の画像２は、記録日時の古い画像２（チャプター番号が小さい画像）ほど螺旋の外周側（手前側）に配置されるように時系列順に表示されている。複数の画像２は、部分的に重畳して三次元の螺旋状に配置され、フォーカス表示領域３６に拡大表示される画像４を除いて記録日時の古い画像２ほど大きくかつ明るく表示されている。これにより、複数の画像２が各画像２の識別性を失わずに重複して表示されるので、多数の画像２を順列の状態を保ちつつ同時にタッチパネル１０に表示することができる。
【００２７】
タイトル表示領域３４には、フォーカス表示領域３６およびその前後に配置された複数の画像２のタイトルが表示されている。画像２のタイトルは、フォーカス表示領域３６に配置される画像２ほど大きくかつ明るく表示され、フォーカス表示領域３６から離れて配置される画像ほど小さくかつ暗く表示されている。メイン表示領域３２およびタイトル表示領域３４に部分的に重畳して設けられたフォーカス表示領域３６には、フォーカス表示領域３６に配置される特定の画像２が画像４として拡大表示されている。
【００２８】
（情報提供方法）
以下では、図３〜図１０を参照しながら、情報表示端末により行われる情報提供方法について説明する。なお、図３〜図１０には、説明の便宜上、図２に示した表示画面が模式的に表示されている。
【００２９】
図３は、情報表示端末の動作（初期表示画面）を示す説明図である。図３に示す表示画面を表示するために、情報表示端末は、複数の画像２について、通信処理部２０を介してＰＶＲから属性情報と併せて画像データを取得し、記憶部２８に記憶している。情報表示端末は、複数の画像２について、記録日時（チャプター番号）に応じた順列を表す順列テーブルを作成し、記憶部２８に記憶している。また、情報表示端末は、複数の画像２を螺旋状に表示するために、複数の画像２からなる螺旋（以下、画像螺旋とも称する。）上に配置される各画像２について、表示画面上での配置、表示サイズ、表示の明るさを含む表示属性情報を設定し、記憶部２８に記憶している。
【００３０】
複数の画像２を表示するために、表示処理部１８は、まず、順列テーブルに基づいて、表示対象となる画像２の画像データを記憶部２８から読み出す。ここで、表示処理部１８は、例えばフォーカス表示領域３６に配置される画像４（基準画像）を基準として表示対象となる画像２を選択する。図３に示す例では、記録日時が５番目に古い画像（チャプター５の画像）を基準画像として、基準画像より古い４枚の画像２（チャプター１〜４の画像）、および基準画像より新しい１２枚の画像２（チャプター６〜１７の画像）からなる１７枚の画像２（チャプター１〜１７の画像）が表示対象として選択されている。以下では、フォーカス表示領域３６に配置される画像４を基準画像とする場合について説明するが、基準画像は、画像螺旋の最も外周側に配置される画像２（図３では、チャプター１の画像）または最も内周側に配置される画像２（図３では、チャプター１７の画像）としてもよい。
【００３１】
なお、基準画像を基準として選択され表示対象となる画像２が存在しない場合（例えば、図３に示す例では、チャプター１の画像を基準画像として表示する場合における基準画像より古い４枚の画像２）には、ブランク画像を表示してもよく、画像２を表示しなくてもよい。また、最も新しい画像２（チャプター番号が最も大きい画像）の次に最も古い画像２（チャプター番号が最も小さい画像）が表示されるように、複数の画像２の順列をループにしてもよい。
【００３２】
表示処理部１８は、次に、表示対象となる画像について、基準画像の順列、および基準画像の順列に応じて決定される画像螺旋上での各画像２の配置に応じた表示属性情報に基づいて、画像データから表示用画像を生成する。そして、表示処理部１８は、表示対象となる画像２について、記録日時（チャプター番号）の順序で螺旋状に表示用画像をタッチパネル１０に表示させる。
【００３３】
図４Ａ、４Ｂは、情報表示端末の動作（画像の移動）を示す説明図である。図４Ａ、４Ｂには、操作情報から求められた移動角度情報Δαおよび角速度情報ｖに応じて、図３に示した初期表示画面の状態から、複数の画像２を画像螺旋の略円周方向に反時計回りに移動させて表示する場合が示されている。ここで、複数の画像２を略円周方向に移動させるとは、複数の画像２の所定の順列および画像螺旋の形状を保ちつつ、複数の画像２を螺旋の内周端と外周端との間で移動させることを意味する。
【００３４】
複数の画像２を移動させるために、ユーザは、タッチパネル１０を用いて、移動角度を入力する。図４Ａに示す例では、入力用ペン３０を用いて、画像螺旋の中心である基準点Ｘを略中心とする円弧をタッチパネル１０上で一定速度で描くことで、反時計回りに合計角度α１の移動角度が入力されている。以下では、タッチパネル１０上で角度αの円弧を描いた場合に、合計角度α１（＝α）の移動角度情報Δα１が求められる場合について説明する。しかし、タッチパネル１０上で角度αの円弧を描いた場合に、所定の基準に従って角度αから変換された合計角度α１（≠α、例えばα１＝α／２など）の移動角度情報Δα１が求められてもよい。この場合、例えば、タッチパネル１０上で描かれる円弧の半径に応じて、例えば円弧の半径が相対的に大きければ、相対的に大きな合計角度α１の移動角度情報Δα１が求められてもよい。
【００３５】
操作情報処理部１６は、タッチパネル１０上で入力用ペン３０の接触が最初に検出された後、接触位置の移動の開始が検出されて移動の停止が検出されるまでに検出される接触位置の移動軌跡に従って移動角度情報Δαを求める。操作情報処理部１６は、タッチパネル１０を介して所定数の検出周期中（例えば、検出周期０．１秒に対して１０検出周期に相当する１秒間）に接触位置の移動が検出されない場合には、移動の停止を判定する。また、操作情報処理部１６は、検出周期毎にタッチパネル１０から供給される接触位置の位置情報、および基準点Ｘの位置情報から検出周期毎の移動角度情報Δαおよび角速度情報ｖ（移動角速度情報Δαの変化量）を求める。
【００３６】
なお、操作情報処理部１６は、特定の画像２上で最初の接触が検出されると、接触の検出後に接触位置の移動の開始が検出された場合には、複数の画像２の移動処理を行い、接触の検出後に接触位置の移動なしに非接触が検出された場合には、後述する特定の画像２の選択処理を行う。また、以下では、画像螺旋の中心である基準点Ｘを略中心として移動角度情報Δαを求める場合について説明するが、例えば最初の接触点を基準として移動角度情報Δαを求めてもよい。
【００３７】
そして、表示処理部１８は、移動角度情報Δαおよび角速度情報ｖに応じて、複数の画像２が画像螺旋の略円周方向に移動するようにタッチパネル１０に表示させる。図４Ｂに示す例では、合計角度α１の移動角度情報Δαが求められ、複数の画像２は、初期表示画面の状態から、基準点Ｘを中心として反時計回りに合計角度α１で画像螺旋の略円周方向に移動されている。この場合、合計角度α１に対応して基準画像がチャプター５の画像からチャプター７の画像となり、表示処理部１８は、チャプター３〜１９の画像を表示対象とする表示画面を表示させる。ここで、移動角度情報Δα（合計角度α１）に応じてチャプター７の画像をフォーカス表示領域３６に移動して表示することで、拡大表示された画像４として確認することができる。
【００３８】
ここで、表示処理部１８は、最初の接触が検出された後の所定の時点で、検出周期毎の移動角度情報Δαの累計値が例えばα１／２となった時点で、初期表示画面の状態から、チャプター２〜１８の画像を表示対象とする表示画面をタッチパネル１０に表示させる。つまり、表示処理部１８は、移動角度の入力に連動して複数の画像２を画像螺旋の略円周方向に移動して表示させる。なお、複数の画像２の表示処理については、表示対象となる画像が異なる以外は初期表示画面の場合と同様であるので、説明を省略する。
【００３９】
図５Ａ，５Ｂは、情報表示端末の動作（画像の移動）を示す説明図である。図５Ａ、５Ｂには、操作情報から求められた移動角度情報Δαおよび角速度情報ｖに応じて、図４Ｂに示した表示画面の状態から、複数の画像２を画像螺旋の略円周方向に時計回りに移動させて表示する場合が示されている。なお、図５Ａ、５Ｂに示す表示処理については、複数の画像２の移動方向および表示対象となる画像２が異なる以外は、図４Ａ，４Ｂに示した場合と同様である。
【００４０】
これにより、移動角度情報Δαおよび角速度情報ｖに応じて、螺旋状に配置される複数の画像２が螺旋の略円周方向に移動して表示されるので、上下左右キーを用いる場合に比して、直感的な操作を介して特定の画像２を選択することができる。また、フォーカス領域３６に配置される画像４が拡大表示されるので、特定の画像２を確認した後に選択することができる。
【００４１】
なお、上記説明では、タッチパネル１０上で円弧を描くことで移動角度情報Δα（合計角度α１＜３６０°）が求められる場合について説明したが、移動角度情報Δα（α１≧３６０）が求められる場合も同様に説明される。この場合、複数の画像２は、移動角度情報Δαに応じて、画像螺旋の略円周方向に一回転以上で移動して表示される。よって、順列上で互いに離れている画像２を選択する場合でも、入力用ペンをタッチパネル１０から離すことなしに円または螺旋（渦巻き）を描くことで、複数の画像２を連続的に移動させて特定の画像２を選択することができる。
【００４２】
また、複数の画像２について、一定の時間間隔として定められる所定の順列（例えば、１分毎、１０分毎など）で螺旋状に表示してもよい。そして、タッチパネル１０上で円を描く毎に複数の画像２を所定の間隔（例えば、１０分／一円、１００分／一円など）で移動して表示させてもよい。これにより、タッチパネル１０上での所定の操作に対応して複数の画像２の移動が規定されるので、直感的な操作を介して特定の画像２を選択することができる。
【００４３】
図６Ａ、６Ｂは、情報表示端末の動作（画像２の連続移動）を示す説明図である。図６Ａ、６Ｂには、連続して入力される操作情報から求められた移動角度情報Δαおよび角速度情報ｖに応じて、図３に示した初期表示画面の状態から、複数の画像２を画像螺旋の略円周方向に連続的に移動させて表示する場合が示されている。
【００４４】
図６Ａに示す例では、入力用ペン３０を用いて、基準点Ｘを略中心とする２つの連続する円弧をタッチパネル１０上で各々に一定速度で描くことで、反時計回りに合計角度α１、α２の移動角度情報Δαおよび角速度情報ｖ１、ｖ２が各々に求められている。
【００４５】
操作情報処理部１６は、タッチパネル１０上で入力用ペン３０の接触位置の移動の停止が検出された後、非接触が検出されずに接触位置の移動の再開が検出されて移動の停止が検出されるまでに検出される接触位置の移動軌跡に従って移動角度情報Δαを求める。図６Ａに示す例は、図４Ａに示した例において接触位置の移動の停止が検出された後に、入力用ペン３０が接触されたままで接触位置の移動が再開される場合に相当する。
【００４６】
図６Ａに示す例では、合計角度α１の移動角度情報Δαおよび角速度情報ｖ１が求められ、まず、図４Ｂに示した場合と同様に、チャプター７の画像が基準画像として拡大表示されることで、チャプター３〜１９の画像を表示対象とする表示画面が表示される。次に、合計角度α２の移動角度情報Δαおよび角速度情報ｖ２が求められ、複数の画像２は、図６Ｂに示すように、図４Ｂに示した表示画面の状態から、基準点Ｘを中心として反時計回りに合計角度α２で画像螺旋の略円周方向に移動されている。この場合、合計角度α２に対応して基準画像がチャプター７の画像からチャプター９の画像となり、表示処理部１８は、チャプター５〜２１の画像を表示対象とする表示画面をタッチパネル１０に表示させる。ここで、移動角度情報Δα（合計角度α１、α２）に応じてチャプター９の画像をフォーカス表示領域３６に移動して表示することで、拡大表示された画像４として確認することができる。なお、基準画像がチャプター５の画像からチャプター９の画像に遷移する期間における表示処理については、図４Ｂに示した場合と同様である。
【００４７】
これにより、連続して入力される操作情報から求められた移動角度情報Δα（合計角度α１、α２）および角速度情報ｖ（ｖ１、ｖ２）に応じて、複数の画像２が螺旋の略円周方向に連続的に移動して表示されるので、連続的な操作を介して特定の画像２を選択することができる。
【００４８】
なお、図４Ａ、４Ｂの場合と同様に、複数の画像２を移動角度情報Δαに応じて、画像螺旋の略円周方向に一回転以上で移動して表示させる場合についても同様に説明される。よって、順列上で互いに離れている画像２を選択する場合でも、入力用ペン３０をタッチパネル１０から離すことなしに、入力用ペン３０を断続的に移動させて拡大表示される画像４を確認しながら円または螺旋（渦巻き）を描くことで、複数の画像２を連続的に移動させて特定の画像２を選択することができる。
【００４９】
また、上記説明では、タッチパネル１０上で同一方向に連続する円弧を描くことで移動角度情報Δα（合計角度α１、α２）が求められる場合について説明したが、互いに異なる方向に連続する円弧を描くことで移動角度情報Δαが求められる場合も同様に説明される。
【００５０】
図７Ａ、７Ｂは、情報表示端末の動作（画像の継続移動）を示す説明図である。図７Ａ〜図７Ｅには、操作情報から求められた移動角度情報Δαおよび角加速度情報ａに応じて、図３に示した初期表示画面の状態から、複数の画像２を画像螺旋の略円周方向に継続的に移動させて表示する場合が示されている。
【００５１】
図７Ａに示す例では、入力用ペン３０を用いて、基準点Ｘを略中心とする円弧をタッチパネル１０上で加速度ａを伴って描くことで、反時計回りに合計角度α１の移動角度情報Δαおよび角加速度情報ａが求められている。また、角加速度情報ａから合計角度α３の移動角度情報Δα’が求められている。
【００５２】
操作情報処理部１６は、図４Ａに示した場合と同様に、タッチパネル１０上で入力用ペン３０の接触が検出された後、接触位置の移動の開始が検出されて非接触が検出されるまでに検出される接触位置の移動軌跡に従って移動角度情報Δαを求める。また、操作情報処理部１６は、検出周期毎にタッチパネル１０から供給される接触位置の位置情報、および基準点Ｘの位置情報から検出周期毎の移動角度情報Δαおよび角加速度情報ａ（角速度情報ｖの変化量に相当する。）を求める。
【００５３】
図７Ｂに示す例では、合計角度α１の移動角度情報Δαおよび角加速度情報ａが求められ、複数の画像２は、図４Ｂに示した場合と同様に、初期表示画面の状態から、基準点Ｘを略中心として反時計回りに合計角度α１で画像螺旋の略円周方向に移動されている。この場合、合計角度α１に対応して基準画像がチャプター７の画像となり、チャプター３〜１９の画像を表示対象とする表示画面が表示される。ここで、図７Ｂに示す例では、図４Ｂに示した場合とは異なり、チャプター３〜１９の画像を表示対象とする表示画面が表示された後も、複数の画像２が継続的に移動されている。
【００５４】
次に、図７Ｃに示す例では、複数の画像２は、図７Ｂに示した表示画面の状態から、基準点Ｘを略中心として反時計周りに合計角度α３で画像螺旋の略円周方向に移動されている。この場合、合計角度α３に対応して基準画像がチャプター７の画像からチャプター９の画像となり、表示処理部１８は、チャプター５〜２１の画像を表示対象とする表示画面をタッチパネル１０に表示させる。ここで、移動角度情報Δα’は、角加速度情報ａが大きいほど大きな合計角度α３として求められる。なお、基準画像がチャプター７の画像からチャプター９の画像に遷移する期間において、複数の画像２が移動する速度は、角加速度情報ａが大きいほど大きな初期速度として求められ、移動の速度が徐々に低下し、最終的に０となるように段階的に設定される。
【００５５】
これにより、入力される操作情報から求められた移動角度情報Δαおよび角加速度情報ａに応じて、複数の画像２が螺旋の略円周方向に継続的に移動し、移動の速度を徐々に減少させて表示されるので、特定の画像２を効率的に選択することができる。
【００５６】
よって、タッチパネル１０上で入力用ペン３０を加速度を伴って移動させることで、タッチパネル１０上に表示される画像２が入力用ペン３０および／または手で遮蔽されることなしに、複数の画像２を継続的に移動させて特定の画像２を選択することができる。
【００５７】
次に、図７Ｄに示す例では、図７Ｂに示した表示画面の状態から図７Ｃに示した表示画面の状態に遷移する期間（つまり、複数の画像２が継続移動している期間）において、入力用ペン３０を用いて、タッチパネル１０上の任意の位置に再び接触することで、移動停止指示が入力されている。操作情報処理部１６は、複数の画像２が継続移動している期間に、タッチパネル１０上で入力用ペン３０の再接触が検出されることで移動停止情報を取得する。
【００５８】
図７Ｅに示す例では、移動停止情報が取得され、複数の画像２は、図７Ｂに示した表示画面の状態から、基準点Ｘを略中心として反時計回りに角度α３／２で画像螺旋の略円周方向に移動されている。ここで、移動停止情報は、図７Ｂに示した表示画面の状態から図７Ｃに示した表示画面の状態に遷移する期間において、複数の画像２が角度α３／２で画像螺旋の略円周方向に移動された状態で取得されている。この場合、角度α３／２に対応して基準画像がチャプター７の画像からチャプター８の画像となり、表示処理部１８は、チャプター４〜２０の画像を表示対象とする表示画面をタッチパネル１０に表示させる。
【００５９】
これにより、複数の画像２が継続的に移動している状態で入力される移動停止情報に応じて、複数の画像２が移動を停止して表示されるので、特定の画像２を効率的に選択することができる。特に、複数の画像２が継続移動している最中に、選択対象としている特定の画像２がフォーカス表示領域３６に表示され、特定の画像２を確認した場合に継続移動を停止させることで、特定の画像２を効率的に選択することができる。
【００６０】
図８Ａ、８Ｂは、情報表示端末の動作（画像の選択）を示す説明図である。図８Ａ、８Ｂには、特定の画像２を選択するためにタッチパネル１０に入力される画像選択指示に応じて、図３に示した初期表示画面の状態から、特定の画像２がフォーカス表示領域３６に配置されるように、複数の画像２を画像螺旋の略円周方向に移動させて表示する場合が示されている。
【００６１】
図８Ａに示す例では、初期表示画面の状態において、入力用ペン３０を用いて、タッチパネル１０上に表示されている複数の画像２に含まれる特定の画像２に接触することで、画像選択指示が入力されている。操作情報処理部１６は、チャプター１０の画像が表示されている領域でタッチパネル１０上で入力用ペン３０の接触が検出されることで画像選択情報を取得する。
【００６２】
図８Ｂに示す例では、チャプター１０の画像を特定の画像２として選択する画像選択情報が取得され、複数の画像２は、図３に示した初期表示画面の状態から、フォーカス領域３６にチャプター１０の画像が表示されるように、基準点Ｘを略中心として反時計周りに合計角度α４で画像螺旋の略円周方向に移動されている。この場合、合計角度α４での移動に応じて基準画像がチャプター５の画像からチャプター１０の画像となり、表示処理部１８は、チャプター６〜２２の画像を表示対象とする表示画面をタッチパネル１０に表示させる。ここで、移動停止情報に応じてチャプター１０の画像がフォーカス表示領域３６に表示されるので、拡大表示された画像４として確認することができる。なお、基準画像がチャプター５の画像からチャプター１０の画像に遷移する期間において、複数の画像２が移動する速度は、一定速度でもよく、移動の速度が徐々に低下し、最終的に０となるように段階的に設定されてもよい。
【００６３】
これにより、入力される画像選択指示に応じて、複数の画像２が螺旋の略円周方向に移動し、選択された画像がフォーカス表示領域３６に配置されて表示されるので、直感的な操作を介して特定の画像２を選択することができる。
【００６４】
そして、フォーカス表示領域３６に表示されている画像４が選択されると、画像の属性情報に含まれるチャプターの識別情報およびチャプター内容の送信指令が通信処理部２０を介してＰＶＲに送信される。そして、情報表示端末は、記録番組コンテンツのうち識別情報に対応するチャプターの内容を通信処理部２０を介してＰＶＲから取得し、再生処理部２２に再生させる。
【００６５】
以上説明したように、本実施形態に係る情報提供装置によれば、操作情報から求められた移動角度情報Δαおよび角速度情報ｖに応じて、螺旋状に配置される複数の画像２が螺旋の略円周方向に移動して表示されるので、上下左右キーなどを用いる場合に比して、直感的な操作を介して特定の画像２を選択することができる。
【００６６】
以上、添付図面を参照しながら本発明の好適な実施形態について説明したが、本発明は係る例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【図面の簡単な説明】
【００６７】
【図１】本発明の一実施形態に係る情報表示端末の機能構成を示すブロック図である。
【図２】情報表示端末による表示画面の一例を示す説明図である。
【図３】情報表示端末の動作（初期表示画面）を示す説明図である。
【図４Ａ】情報表示端末の動作（画像の移動）を示す説明図である。
【図４Ｂ】情報表示端末の動作（画像の移動）を示す説明図である。
【図５Ａ】情報表示端末の動作（画像の移動）を示す説明図である。
【図５Ｂ】情報表示端末の動作（画像の移動）を示す説明図である。
【図６Ａ】情報表示端末の動作（画像の連続移動）を示す説明図である。
【図６Ｂ】情報表示端末の動作（画像の連続移動）を示す説明図である。
【図７Ａ】情報表示端末の動作（画像の継続移動）を示す説明図である。
【図７Ｂ】情報表示端末の動作（画像の継続移動）を示す説明図である。
【図７Ｃ】情報表示端末の動作（画像の継続移動）を示す説明図である。
【図７Ｄ】情報表示端末の動作（画像の継続移動）を示す説明図である。
【図７Ｅ】情報表示端末の動作（画像の継続移動）を示す説明図である。
【図８Ａ】情報表示端末の動作（画像の選択）を示す説明図である。
【図８Ｂ】情報表示端末の動作（画像の選択）を示す説明図である。
【符号の説明】
【００６８】
２    画像
１０    タッチパネル
１２    操作情報入力部
１４    画像表示部
１６    操作情報処理部
１８    表示処理部
【図１】
2010015442.tif 000003
【図２】
2010015442.tif 000004
【図３】
2010015442.tif 000005
【図４Ａ】
2010015442.tif 000006
【図４Ｂ】
2010015442.tif 000007
【図５Ａ】
2010015442.tif 000008
【図５Ｂ】
2010015442.tif 000009
【図６Ａ】
2010015442.tif 000010
【図６Ｂ】
2010015442.tif 000011
【図７Ａ】
2010015442.tif 000012
【図７Ｂ】
2010015442.tif 000013
【図７Ｃ】
2010015442.tif 000014
【図７Ｄ】
2010015442.tif 000015
【図７Ｅ】
2010015442.tif 000016
【図８Ａ】
2010015442.tif 000017
【図８Ｂ】
2010015442.tif 000018